(57)【要約】【課題】アンテナ特性の劣化を防止することが可能な携帯電話機の提供。【解決手段】その上方にスピーカ６が配置されたその下方にマイクロホン８が配置された表示部１と操作部２とを開くと、表示部１と操作部２とが「く」の字状に配置されるようヒンジ部３およびアーム部４が構成されている。このため、アンテナ部５と携帯電話機を操作する操作者の頭部との距離は従来の携帯電話機よりも長くなる。したがって、アンテナ部５が、人体（特に頭部）や携帯電話機本体の影響を受けて特性が劣化するのを防止することができる。【選択図】　　　図１
2004023574.tif 000002
【特許請求の範囲】
【請求項１】
送話器が設けられる第１筺体と、受話器が設けられる第２筺体と、前記第１筺体および第２筺体を開閉自在に支持する支持部と、アンテナ部とを含む携帯電話機であって、
前記第１筺体および第２筺体を開いた状態で前記第１筺体と前記第２筺体とが「く」の字状に配置されるよう前記支持部が構成され、
前記アンテナ部が前記「く」の字状の屈曲方向と反対方向に取り付けられることを特徴とする携帯電話機。
【請求項２】
前記アンテナ部は前記第１筺体に取り付けられることを特徴とする携帯電話機。
【請求項３】
前記アンテナ部は前記第１筺体の裏面に対し傾斜して設けられることを特徴とする請求項２記載の携帯電話機。
【請求項４】
前記支持部は、前記第１筺体と前記第２筺体とを開いた後に前記第２筺体を上方に引き出す引き出し手段と、引き出し後に前記第２筺体をその面方向に傾斜させる傾斜手段とを含むことを特徴とする請求項１から３いずれか記載の携帯電話機。
【請求項５】
前記支持部は、前記第１筺体と前記第２筺体とを開いた後に前記第２筺体を上方に引き出す引き出し手段と、引き出し後に前記第２筺体をその面方向に回転させる回転手段とを含むことを特徴とする請求項１から３いずれか記載の携帯電話機。
【請求項６】
前記支持部は、前記第１筺体と前記第２筺体とを開くことにより前記第１筺体と前記第２筺体とを前記「く」の字状に配置するヒンジ部で構成されることを特徴とする請求項１から３いずれか記載の携帯電話機。
【請求項７】
送話器が設けられる筺体の第１部分と、受話器が設けられる筺体の第２部分と、アンテナ部とが含まれ、前記筺体の第１部分および第２部分が一体に形成される無携帯電話機であって、
前記筺体の第１部分と第２部分とが「く」の字状に配置され、
前記アンテナ部が前記「く」の字状の屈曲方向と反対方向に取り付けられることを特徴とする携帯電話機。
【発明の詳細な説明】
【０００１】
【発明の属する技術分野】
本発明は、携帯電話機に関し、特にアンテナ特性の劣化を防止する携帯電話機に関する。
【０００２】
【従来の技術】
特開２００−３３２５１３号公報（以下、文献１と称す）に、アンテナに回動自在のガイド部を設け、アンテナの角度を可変可能とし、これにより受信感度を向上させる技術が開示されている。また、特開平８−３２１８６３号公報（以下、文献２と称す）に、送話部と操作部と受話部とを相互に折り畳み、送話部と操作部とを「く」の字状に開閉することにより、送話部と受話部とを耳と口に近接させて片手で保持することが可能な技術が開示されている。また、特開平６−６９８５２号公報（以下、文献３と称す）に、蓋部を傾斜して折り畳むことにより、蓋部のレシーバ部が使用者の耳に適合するようにする技術が開示されている。
【０００３】
【発明が解決しようとする課題】
しかし、文献１開示の技術はフリップアンテナに関するものであり、固定式のアンテナの特性を改善するものではないため別発明である。また、文献２および３は「く」の字状または傾斜して折り畳むヒンジ部と、アンテナとの位置関係が全く記載されていないため、これら文献２および３も別発明である
そこで、本発明の目的は、アンテナ特性の劣化を防止することが可能な携帯電話機を提供することにある。
【０００４】
【課題を解決するための手段】
前記課題を解決するために、本発明による携帯電話機は、送話器が設けられる第１筺体と、受話器が設けられる第２筺体と、前記第１筺体および第２筺体を開閉自在に支持する支持部と、アンテナ部とを含む携帯電話機であって、
前記第１筺体および第２筺体を開いた状態で前記第１筺体と前記第２筺体とが「く」の字状に配置されるよう前記支持部が構成され、
前記アンテナ部が前記「く」の字状の屈曲方向と反対方向に取り付けられることを特徴とする。
【０００５】
また、本発明による他の携帯電話機は、送話器が設けられる筺体の第１部分と、受話器が設けられる筺体の第２部分と、アンテナ部とが含まれ、前記筺体の第１部分および第２部分が一体に形成される無携帯電話機であって、
前記筺体の第１部分と第２部分とが「く」の字状に配置され、
前記アンテナ部が前記「く」の字状の屈曲方向と反対方向に取り付けられることを特徴とする。
【０００６】
すなわち、本発明によれば、携帯電話機のアンテナ部と携帯電話機を操作する操作者の頭部との距離、およびアンテナ部と筺体本体との距離を従来よりも離すことが可能となるため、人体や本体の影響を受けてアンテナ部の特性が劣化するのを防止することが可能となる。
【０００７】
【発明の実施の形態】
以下、本発明の実施の形態について添付図面を参照しながら説明する。まず、第１の実施の形態について説明する。図１は本発明に係る携帯電話機の第１の実施の形態の構成図である。同図において、携帯電話機１０１は折り畳み式の携帯電話機であり、表示部１と、操作部２と、ヒンジ部３と、アーム部４と、アンテナ部（空中線部）５とを含んでいる。
【０００８】
さらに、表示部１の上方にはスピーカ（受信部）６が、表示部１の左側面にはロック解除ボタン７が、操作部２の下方にはマイクロホン（送信部）８が、それぞれ設けられている。また、アンテナ部５は操作部２の左上方に取り付けられている。
【０００９】
表示部１と操作部２はヒンジ部３を介して開閉可能に構成されている。また、アーム部４は表示部１に内蔵されており、表示部１と操作部２を開いた後に表示部１の角度を調整するためのものである。すなわち、アーム部４の一端は表示部１に出し入れ自在に収納が可能であり、他端はヒンジ部３に固定されている。また、アンテナ部５は操作部２に固定されている。
【００１０】
表示部１を傾けることにより、表示部１と操作部２とが「く」の字状に配置されるため、アンテナ部５と表示部１との距離は従来よりも長くなる。したがって、アンテナ部５が、人体（特に頭部）や携帯電話機本体の影響を受けて特性が劣化するのを防止することができる。
【００１１】
つぎに、この携帯電話機１０１の動作について説明する。送信する場合は、まず携帯電話機１０１を開いて操作部２を操作して発呼する。次に、ロック解除ボタン７を操作してヒンジ部３から表示部１を上に引く。次に、表示部１をアーム部４を介して所望の角度に傾け耳に当てる。また、受信する場合は、送信する場合と同様に操作し、表示部１の角度を変えて使用する。
【００１２】
なお、第１の実施の形態では操作部２にアンテナ部５を固定したが表示部１に固定することも可能である。
【００１３】
次に、第２の実施の形態について説明する。図２は本発明に係る携帯電話機の第２の実施の形態の構成図である。なお、同図において図１と同様の構成部分には同一番号を付し、その説明を省略する。
【００１４】
第２の実施の形態における携帯電話機１０２には、第１の実施の形態のアーム部４の代わりにプレート部１１が設けられている。すなわち、プレート部１１の一端には回転軸１２が設けられており、この回転軸１２に表示部１が回転自在に支持されている。一方、プレート部１１の他端はヒンジ部３に出し入れ自在に収納されている。その他の構成は、第１の実施の形態と同様である。
【００１５】
表示部１を所望の角度だけ回転させることにより、表示部１と操作部２とが「く」の字状に配置されるため、アンテナ部５と表示部１との距離は従来よりも長くなる。したがって、アンテナ部５が、人体（特に頭部）や携帯電話機本体の影響を受けて特性が劣化するのを防止することができる。
【００１６】
つぎに、この携帯電話機１０２の動作について説明する。送信する場合は、まず携帯電話機１０１を開いて操作部２を操作して発呼する。次に、ヒンジ部３から表示部１を上に引く。次に、表示部１を回転軸１２を介して所望の角度だけ回転させ傾け耳に当てる。また、受信する場合は、送信する場合と同様に操作し、表示部１の角度を変えて使用する。
【００１７】
なお、第２の実施の形態では操作部２にアンテナ部５を固定したが表示部１に固定することも可能である。
【００１８】
次に、第３の実施の形態について説明する。図３は本発明に係る携帯電話機の第３の実施の形態の構成図である。なお、同図において図１と同様の構成部分には同一番号を付し、その説明を省略する。
【００１９】
第３の実施の形態における携帯電話機１０３では、第１および第２の実施の形態と異なり、ヒンジ部３は表示部１および操作部２に対しあらかじめ斜めに設けられている。したがって、アーム部４やプレート部１１は不要である。その他の構成は、第１の実施の形態と同様である。
【００２０】
したがって、表示部１と操作部２を開くだけで、表示部１と操作部２とが「く」の字状に配置されるため、アンテナ部５と表示部１との距離は従来よりも長くなる。したがって、アンテナ部５が、人体（特に頭部）や携帯電話機本体の影響を受けて特性が劣化するのを防止することができる。
【００２１】
つぎに、この携帯電話機１０３の動作について説明する。送信する場合は、まず携帯電話機１０３を開いて操作部２を操作して発呼する。次に、表示部１を耳に当てる。また、受信する場合は、送信する場合と同様に操作する。
【００２２】
なお、第３の実施の形態では操作部２にアンテナ部５を固定したが表示部１に固定することも可能である。
【００２３】
次に、第４の実施の形態について説明する。図４は本発明に係る携帯電話機の第４の実施の形態の構成図である。なお、同図において図１と同様の構成部分には同一番号を付し、その説明を省略する。
【００２４】
第４の実施の形態における携帯電話機１０４では、第１の実施の形態における携帯電話機１０１と配置を左右対称にしたものである。したがって、アンテナ部５を操作部２の右側の設け、表示部１と操作部２との「く」の字状の配置を左方向に屈曲するようにした以外は第１の実施の形態と同様であり、効果もまた第１の実施の形態と同様である。
【００２５】
次に、第５の実施の形態について説明する。図５は本発明に係る携帯電話機の第５の実施の形態の構成図である。なお、同図において図１と同様の構成部分には同一番号を付し、その説明を省略する。
【００２６】
第５の実施の形態における携帯電話機１０５では、第２の実施の形態における携帯電話機１０２と配置を左右対称にしたものである。したがって、アンテナ部５を操作部２の右側の設け、表示部１と操作部２との「く」の字状の配置を左方向に屈曲するようにした以外は第２の実施の形態と同様であり、効果もまた第２の実施の形態と同様である。
【００２７】
次に、第６の実施の形態について説明する。図６は本発明に係る携帯電話機の第６の実施の形態の構成図である。なお、同図において図１と同様の構成部分には同一番号を付し、その説明を省略する。
【００２８】
第６の実施の形態における携帯電話機１０６では、第３の実施の形態における携帯電話機１０３と配置を左右対称にしたものである。したがって、アンテナ部５を操作部２の右側の設け、表示部１と操作部２との「く」の字状の配置を左方向に屈曲するようにした以外は第３の実施の形態と同様であり、効果もまた第３の実施の形態と同様である。
【００２９】
次に、第７の実施の形態について説明する。図７は第７の実施の形態の携帯電話機１０７の左側面図であり、図８は前述の第１の実施の形態の携帯電話機１０１（図１参照）の左側面図である。なお、図７および図８において図１と同様の構成部分には同一番号を付し、その説明を省略する。
【００３０】
第１の実施の形態の携帯電話機１０１のアンテナ部５は、図８を参照すれば明らかなように、アンテナ部５は操作部２の裏面に平行に設けられていた。これに対し、第７の実施の形態の携帯電話機１０７のアンテナ部５は操作部２の裏面に対し一定の角度で傾斜して設けられている。したがって、第１の実施の形態よりもアンテナ部５と表示部１との距離はさらに長くなり、第１の実施の形態以上の効果が期待できる。
【００３１】
なお、第２〜第６の実施の形態についても同様にアンテナ部５を操作部２の裏面に対し一定の角度で傾斜させることが可能である。
【００３２】
次に、第８の実施の形態について説明する。図９は本発明に係る携帯電話機の第８の実施の形態の構成図である。第８の実施の形態は一体型携帯電話機１０８の一例に関するものである。なお、同図において図１と同様の構成部分には同一番号を付し、その説明を省略する。
【００３３】
携帯電話機１０８は、送話器６が設けられる筺体の第１部分である表示部２１と、受話器８が設けられる筺体の第２部分である操作部２２と、空中線部５とを含んで構成され、表示部２１および操作部２２が一体に形成されている。
【００３４】
また、表示部２１と操作部２２とが「く」の字状に形成されており、空中線部５が「く」の字状の屈曲方向と反対方向に取り付けられている。これにより、前述の折り畳み携帯電話機１０１〜１０７と同様の効果を奏する。
【００３５】
次に、第９の実施の形態について説明する。図１０は本発明に係る携帯電話機の第９の実施の形態の構成図である。なお、同図において図９と同様の構成部分には同一番号を付し、その説明を省略する。
【００３６】
第９の実施の形態における携帯電話機１０９では、第８の実施の形態における携帯電話機１０８と配置を左右対称にしたものである。したがって、アンテナ部５を操作部２２の右側の設け、表示部２１と操作部２２との「く」の字状の配置を左方向に屈曲するようにした以外は第８の実施の形態と同様であり、効果もまた第８の実施の形態と同様である。
【００３７】
なお、第８および第９の実施の形態についても、アンテナ部５を操作部２２の裏面に対し一定の角度で傾斜させることが可能であり、アンテナ部５を表示部２１に固定することも可能である。
【００３８】
【発明の効果】
以上説明したように本発明による携帯電話機は、送話器が設けられる第１筺体と、受話器が設けられる第２筺体と、前記第１筺体および第２筺体を開閉自在に支持する支持部と、アンテナ部とを含む携帯電話機であって、前記第１筺体および第２筺体を開いた状態で前記第１筺体と前記第２筺体とが「く」の字状に配置されるよう前記支持部が構成され、前記アンテナ部が前記「く」の字状の屈曲方向と反対方向に取り付けられる構成であるため、携帯電話機のアンテナ部と携帯電話機を操作する操作者の頭部との距離、およびアンテナ部と筺体本体との距離を従来よりも離すことが可能となり、もって人体や本体の影響を受けてアンテナ部の特性が劣化するのを防止することが可能となる。
【図面の簡単な説明】
【図１】本発明に係る携帯電話機の第１の実施の形態の構成図である。
【図２】本発明に係る携帯電話機の第２の実施の形態の構成図である。
【図３】本発明に係る携帯電話機の第３の実施の形態の構成図である。
【図４】本発明に係る携帯電話機の第４の実施の形態の構成図である。
【図５】本発明に係る携帯電話機の第５の実施の形態の構成図である。
【図６】本発明に係る携帯電話機の第６の実施の形態の構成図である
【図７】第７の実施の形態の携帯電話機１０７の左側面図である。
【図８】第１の実施の形態の携帯電話機１０１（図１参照）の左側面図である
【図９】本発明に係る携帯電話機の第８の実施の形態の構成図である。
【図１０】本発明に係る携帯電話機の第９の実施の形態の構成図である。
【符号の説明】
１、２１　表示部
２、２２　操作部
３　ヒンジ部
４　アーム部
５　アンテナ部
６　スピーカ
７　ロック解除ボタン
８　マイクロホン
１１　プレート部
１２　回転軸
１０１〜１０９　携帯電話機
【図１】
2004023574.tif 000003
【図２】
2004023574.tif 000004
【図３】
2004023574.tif 000005
【図４】
2004023574.tif 000006
【図５】
2004023574.tif 000007
【図６】
2004023574.tif 000008
【図７】
2004023574.tif 000009
【図８】
2004023574.tif 000010
【図９】
2004023574.tif 000011
【図１０】
2004023574.tif 000012